(57)【要約】【課題】電子機器に接続された電源をより高い精度で判別できる電子機器を提供する。【解決手段】デジタルカメラ１０は、ＡＣアダプタ９Ａ又は電池９Ｂを接続可能なバッテリ装着部９１と、メカシャッタ２３及び絞り２４と、バッテリ装着部９１に接続されたＡＣアダプタ９Ａ又は電池９Ｂからの電力をメカシャッタ２３及び絞り２４に供給し、メカシャッタ２３及び絞り２４に電力を供給している際にバッテリ装着部９１を介して出力される電圧を監視し、監視した電圧の変化に基づいてバッテリ装着部９１にＡＣアダプタ９Ａが接続されているか否かを判別するコントローラ５０とを備える。【選択図】図２
2010094009.tif 000002
【特許請求の範囲】
【請求項１】
非電池電源に接続されたＡＣアダプタと、電池電源とが選択的に接続される接続部を備える電子機器であって、
稼動部材と、
前記接続部に接続されたＡＣアダプタ又は電池電源から該接続部を介して出力される電力を前記稼動部材に供給する供給手段と、
前記供給手段が前記稼動部材に電力を供給しているときに、前記接続部を介して出力される電圧を監視する電圧監視手段と、
前記電圧監視手段によって監視された電圧の変化の態様に基づいて、ＡＣアダプタが前記接続部に接続されているのか、電池電源が前記接続部に接続されているのかを判別する判別手段と、
を備える電子機器。
【請求項２】
請求項１に記載の電子機器において、
前記稼動部材は、少なくとも電子機器の起動時に稼動させられる部材であって、
前記判別手段は、ＡＣアダプタが前記接続部に接続されているのか、電池電源が前記接続部に接続されているのかの判別を電子機器の起動時に行う電子機器。
【請求項３】
非電池電源に接続されたＡＣアダプタと、電池電源とが選択的に接続される接続部を備える電子機器であって、
第１の稼動部材と、
前記第１の稼動部材と異なる第２の稼動部材と、
前記接続部に接続されたＡＣアダプタ又は電池電源から該接続部を介して出力される電力を前記第１の稼動部材に供給する第１供給手段と、
前記第１供給手段が前記第１の稼動部材に電力を供給しているときに、前記接続部を介して出力される電圧を監視する電圧監視手段と、
前記電圧監視手段によって監視された電圧の変化の態様に基づいて、ＡＣアダプタが前記接続部に接続されているのか、電池電源が前記接続部に接続されているのかを判別する判別手段と、
前記接続部に接続されたＡＣアダプタ又は電池電源から該接続部を介して出力される電力を前記第２の稼動部材に供給する第２供給手段と、
前記判別手段の判別結果に応じて、前記第２供給手段から前記第２の稼動部材に供給する電力を制御する制御手段と、
を備える電子機器。
【請求項４】
請求項３に記載の電子機器において、
前記第１の稼動部材は、ＡＣアダプタが前記接続部に接続されているのか、電池電源が前記接続部に接続されているのかの判別を電子機器の起動時に行う電子機器。
【発明の詳細な説明】
【技術分野】
【０００１】
本発明は、非電池電源に接続されたＡＣアダプタと、電池電源とを選択的に接続可能な接続部を備える電子機器に関する。
【背景技術】
【０００２】
従来の電子機器には、特許文献１に記載するようなものが存在する。特許文献１に係る電子機器は、非電池電源に接続されたＡＣアダプタと電池（即ち、電池電源）とを選択的に接続できるように構成されている。このような電子機器においては、接続された電源が非電池電源か電池電源かを判別することが必要な場合がある。例えば、電池電源が接続されているときには使用者に電池の残量を報知する必要があるため、電子機器に接続された電源が非電池電源か、電池電源かを判別する必要がある。
【０００３】
そこで、特許文献１に係る電子機器は、所定期間における電源の内部起電圧の変化量を求め、その変化量を予め記憶しておいた閾値と比較している。そして、変化量が閾値よりも大きい場合には、電源が電池であると判別している。
【先行技術文献】
【特許文献】
【０００４】
【特許文献１】特開平３−１８２１７７号公報
【発明の概要】
【発明が解決しようとする課題】
【０００５】
しかしながら、特許文献１に記載の電子機器では、判別の基準となる閾値を予め記憶しておかなければならない。
【０００６】
それに加えて、電池の出力電圧は、周囲温度、内部抵抗、電池の材料等によりばらつきが生じる。つまり、電源の判別に用いる、電圧の変化量は、環境や電池の状態によってばらつくことになる。そのため、実測の電圧の変化量に基づいて電源を判別する構成においては、判別精度が悪くなる。
【０００７】
ここに開示された技術は、かかる点に鑑みてなされたものであり、非電池電源に接続されたＡＣアダプタと電池電源とを選択的に接続可能な接続部を備える電子機器において、接続された電源をより高い精度で判別できる電子機器を提供することを目的とする。
【課題を解決するための手段】
【０００８】
ここに開示された電子機器は、非電池電源に接続されたＡＣアダプタと、電池電源とが選択的に接続される接続部を備える電子機器である。そして、この電子機器は、稼動部材と、前記接続部に接続されたＡＣアダプタ又は電池電源から該接続部を介して出力される電力を前記稼動部材に供給する供給手段と、前記供給手段が前記稼動部材に電力を供給しているときに、前記接続部を介して出力される電圧を監視する電圧監視手段と、前記電圧監視手段によって監視された電圧の変化の態様に基づいて、ＡＣアダプタが前記接続部に接続されているのか、電池電源が前記接続部に接続されているのかを判別する判別手段と、を備えるものとする。ここで、「変化の態様」とは、上昇するか下降するかという変化の傾向、変化の傾きの程度、直線状に変化するか曲線状に変化するか等、変化の様子を意味する。
【０００９】
このようにすれば、電子機器は、電源から出力される電圧の変化の態様に基づいて、接続された電源を判別できるようになる。
【発明の効果】
【００１０】
本発明によれば、接続部から出力される電圧の変化の態様に基づいて、接続部にＡＣアダプタが接続されているのか電池が接続されているのかを判別することによって、接続部に接続された電源をより高い精度で判別できる。
【図面の簡単な説明】
【００１１】
【図１】実施の形態に係るデジタルカメラの斜視図である。
【図２】デジタルカメラの構成を説明するためのブロック図である。
【図３】稼動部材への電力供給に対する電源の出力電圧の変化を説明するための説明図であって、（Ａ）は電源がＡＣアダプタであるときを、（Ｂ）は電源が電池であるときを示す図である。
【図４】デジタルカメラの動作例を説明するフローチャートである。
【発明を実施するための形態】
【００１２】
《発明の実施形態》
以下、本発明の例示的な実施形態に係る電子機器を説明する。この実施形態では、電子機器としてデジタルカメラ１０を採用している。以下、デジタルカメラ１０の構成について図面を参照して説明する。本実施形態では、電池として、一次電池を用いた例を説明する。
【００１３】
（１．構成）
図１は、実施形態に係るデジタルカメラ１０の斜視図である。図２は、本発明実施形態に係るデジタルカメラ１０の構成を示すブロック図である。
【００１４】
デジタルカメラ１０は、光学系２０と、ＣＣＤイメージセンサ２１と、ＡＦＥ２２と、メカシャッタ２３と、絞り２４と、画像処理部３０と、バッファメモリ４０と、フラッシュメモリ４１と、コントローラ５０と、カードスロット６０と、液晶モニタ７０と、操作部８０と、ＡＤコンバータ９０と、バッテリ装着部９１と、ストロボ９２とを備える。
【００１５】
光学系２０は、被写体からの光学信号を集光して、ＣＣＤイメージセンサ２１上に被写体像を形成する。ＣＣＤイメージセンサ２１は、被写体像を撮像して画像データを生成する撮像素子である。撮像素子としては、ＣＣＤイメージセンサ２１に替えてＣＭＯＳイメージセンサ等を用いることもできる。ＡＦＥ２２は、ＣＤＳ、ＡＤコンバータ等を備えて構成される。ＡＤコンバータは、ＣＣＤイメージセンサ２１で生成された画像データをデジタルに変換する。
【００１６】
メカシャッタ２３は、コントローラ５０からの制御に応じて、ＣＣＤイメージセンサ２１に当たる光の量を時間的に調整するものである。また、絞り２４は、コントローラ５０からの制御に応じて、光学系２０を通過する光の量を調整するものである。これらメカシャッタ２３及び絞り２４が稼動部材及び第１稼動部材の一例である。
【００１７】
画像処理部３０は、ＣＣＤイメージセンサ２１からＡＦＥ２２を介して入力された画像データに対して所定の処理を施す。所定の処理としては、ガンマ変換、ＹＣ変換、電子ズーム処理、圧縮処理、伸張処理などが挙げられるが、これらに限定されるものではない。なお、画像処理部３０は、デジタル化された画像データを、液晶モニタ７０に出力可能である。また、画像処理部３０は、バッファメモリ４０に記憶された画像を液晶モニタ７０に出力することも可能である。
【００１８】
バッファメモリ４０は、画像処理部３０で画像処理を行う際、及び、コントローラ５０で制御処理を行う際に、ワークメモリとして作用する。バッファメモリ４０は、例えば、ＤＲＡＭなどで実現可能である。
【００１９】
フラッシュメモリ４１は、内蔵メモリとして用いられる。フラッシュメモリ４１は、画像データの他に、コントローラ５０の制御のためのプログラムや設定値などを記憶可能である。
【００２０】
コントローラ５０は、デジタルカメラ１０の各部を制御するものである。コントローラ５０はマイクロコンピュータで実現してもよく、ハードワイヤードな回路で実現してもよい。要するに、コントローラ５０は、自装置を制御できるものであればよい。このコントローラ５０が供給手段、電圧監視手段及び判別手段、並びに第１供給手段、第２供給手段及び制御手段の一例である。尚、本実施形態では、１つのコントローラ５０が、これら供給手段等の機能を果たしているが、複数のＣＰＵや回路でこれら機能を果たすように構成してもよいし、各機能ごとに別々のＣＰＵ又は回路を設けるように構成してもよい。
【００２１】
カードスロット６０は、メモリカード６１を着脱するためのスロットである。カードスロット６０は、メモリカード６１を制御する機能を有するようにしてもよい。メモリカード６１は、フラッシュメモリなどを内蔵する。メモリカード６１は、撮像画像データ等を格納可能である。
【００２２】
液晶モニタ７０は、画像データやデジタルカメラ１０の各種の設定を示す画像を表示する。なお、液晶モニタ７０に替えて、有機ＥＬディスプレイで構成してもよい。
【００２３】
操作部８０は、デジタルカメラ１０に設けられ、使用者が操作可能な部分の総称である。操作部８０としては、十字キーや押下釦、さらには、液晶モニタ７０がタッチパネルで構成されている場合には該タッチパネル等が挙げられる。
【００２４】
バッテリ装着部９１は、ＡＣアダプタ９Ａと乾電池（以下、単に「電池」ともいう）９Ｂとを選択的に接続可能に構成されている。ＡＣアダプタ９Ａは、ＤＣカプラ（図示省略）を介してバッテリ装着部９１に接続される。ＡＣアダプタ９Ａは、ＡＣ電源９Ｃにも接続されている。換言すれば、ＡＣ電源９Ｃは、ＡＣアダプタ９Ａを介して間接的にバッテリ装着部９１に接続される。ＡＣアダプタ９Ａは、定電圧方式のＡＣアダプタであって、ＡＣ電源９Ｃからの交流電圧を所定の電圧値の直流電圧に変換して出力する。ＡＣ電源９Ｃは、例えば、家庭用電源である。こうして、家庭用電源からの交流電圧が、ＡＣアダプタ９Ａによって直流電圧に変換され、デジタルカメラ１０に供給される。このバッテリ装着部９１が接続部の一例であり、ＡＣ電源９Ｃが非電池電源の一例であり、電池９Ｂが電池電源の一例である。
【００２５】
ＡＤコンバータ（ＡＤＣ）９０は、ＡＣアダプタ９Ａ又は電池９Ｂから供給されたアナログ電圧を、デジタル電圧に変換して、デジタルカメラ１０に供給するものである。
【００２６】
ここで、コントローラ５０は、ＡＣアダプタ９Ａ又は電池９Ｂから出力された電圧を監視するように構成されている。つまり、コントローラ５０は、ＡＤコンバータ９０から入力されるデジタル電圧を、例えば、１／２０ｍ秒毎にサンプリングする。サンプリングした電圧は、例えば、バッファメモリ４０に記憶される。
【００２７】
ストロボ９２は、コントローラ５０からの制御に応じて、被写体に対して光を照射するものである。ストロボ９２は、キセノンランプやコンデンサ等によって構成される。コンデンサは、発光のための電荷を保持できるようになっている。このストロボ９２が第２稼動部材の一例である。
【００２８】
（２．動作）
以上のように構成されたデジタルカメラ１０の動作例を、図４を用いて説明する。この動作例では、バッテリ装着部９１に接続された電源がＡＣ電源９Ｃか電池９Ｂか、即ち、バッテリ装着部９１に接続されているものがＡＣアダプタ９Ａか電池９Ｂかを判別する際の動作を説明する。
【００２９】
デジタルカメラ１０（コントローラ５０）は、電源がＯＦＦの状態からＯＮの状態に変更されると、以下の動作を実行する。
【００３０】
まず、コントローラ５０は、初期化動作として、メカシャッタ２３及び絞り２４に対して励磁電圧を与える（Ｓ１）。これにより、メカシャッタ２３や絞り２４を初期位置に移動させる。デジタルカメラ１０は、電源をＯＮからＯＦＦにする際、例えば、メカシャッタ２３や絞り２４を予め初期位置に移動させた状態（メカシャッタ２３であれば、例えば、開放した状態）で動作を終了させる。ところが、デジタルカメラ１０は、電源がＯＦＦの状態において、衝撃等によって、メカシャッタ２３や絞り２４の状態が変わってしまうことがある。そのため、デジタルカメラ１０は、電源がＯＮになったとき（即ち、起動時）に、メカシャッタ２３や絞り２４を初期位置に移動させる必要がある。また、デジタルカメラ１０が、例えば、沈胴式レンズ等を備える場合、電源をＯＦＦにするときにレンズを沈胴状態に収納するため、電源をＯＮにするときに、デジタルカメラ１０は、沈胴式レンズの各部を初期位置に移動させる必要がある。こうすることで、電源ＯＮ後に、撮影動作にスムーズに移行することができる。
【００３１】
コントローラ５０は、メカシャッタ２３及び絞り２４に対して励磁電圧を与える際、電源から入力される電圧をサンプリングする（Ｓ２）。
【００３２】
コントローラ５０は、サンプリングした電圧の波形の違い、即ち、電圧の変化の態様によって、ＡＣアダプタ９Ａがバッテリ装着部９１に接続されているのか、電池９Ｂがバッテリ装着部９１に接続されているのかを判別する（Ｓ３）。以下、コントローラ５０による電源の判別の方法について、図３を参照しながら詳しく説明する。図３（Ａ）は、ＡＣアダプタ９Ａがバッテリ装着部９１に接続された場合のＡＣアダプタ９Ａからの出力電圧の変化を示す図であり、図３（Ｂ）は、電池９Ｂがバッテリ装着部９１に接続された場合の電池９Ｂからの出力電圧の変化を示す図である。図３（Ａ），（Ｂ）における上段の波形は、メカシャッタ２３及び絞り２４に対して初期化動作を行った場合の出力電圧である。一方、図３（Ａ），（Ｂ）の下段の波形は、メカシャッタ２３及び絞り２４に対して初期化動作を行った場合の出力電流（電源に対する負荷）である。図３では、第１時間Ｔ１から第２時間Ｔ２までの間、メカシャッタ２３等に対して初期化動作を行っている旨を示している。
【００３３】
まず、メカシャッタ２３及び絞り２４に電流を供給する。すなわち、電源に負荷を接続する。その結果、ＡＣアダプタ９Ａ及び電池９Ｂからの出力電圧は、一旦、低下する。つまり、ＡＣアダプタ９Ａや電池９Ｂは配線抵抗等の抵抗成分（特に、電池９Ｂの場合は、内部抵抗）を有するため、出力電流が大きくなると、これらの抵抗成分に起因する電圧降下が大きくなり、出力電圧が低下することになる。
【００３４】
ここで、ＡＣアダプタ９Ａには、定電圧回路等が内蔵されて、出力電圧を一定にする機能を有する。そのため、バッテリ装着部９１にＡＣアダプタ９Ａが接続されている場合には、低下した出力電圧が所定の電圧に向かって徐々に増加する。一方、電池９Ｂには定電圧回路等はなく、さらには、電池９Ｂの内部抵抗は、電池９Ｂを使い続けると時間と共に大きくなる。これらのため、出力電圧は、前述の低下した状態からほとんど変化しないか、さらに低下していく。コントローラ５０は、このような性質を利用して、バッテリ装着部９１に接続されたものがＡＣアダプタ９Ａか電池９Ｂか、即ち、電源がＡＣ電源９Ｃが電池９Ｂかを判別する。
【００３５】
具体的には、コントローラ５０は、デジタルカメラ１０の起動動作（即ち、初期化動作）中に電源の判別を行う。コントローラ５０は、メカシャッタ２３及び絞り２４へ電力供給している起動動作中において、第１時間Ｔ１における出力電圧（即ち、バッテリ装着部９１を介して出力される電圧）と第２時間Ｔ２（Ｔ２＞Ｔ１）における出力電圧とを比較して、出力電圧の変化の態様を求める。本実施形態では、起動時においてメカシャッタ２３及び絞り２４への電力供給を開始したときを第１時間Ｔ１とし、メカシャッタ２３及び絞り２４への電力供給を停止したときを第２時間Ｔ２としている。そして、コントローラ５０は、（第１時間Ｔ１における出力電圧）＜（第２時間Ｔ２における出力電圧）となるか否かを判別している。つまり、コントローラ５０は、（第１時間Ｔ１における出力電圧）＜（第２時間Ｔ２における出力電圧）となったときは、出力電圧の変化の態様が増加傾向であるため、電源がＡＣアダプタ９Ａを介して接続されたＡＣ電源９Ｃであると判別する。一方、コントローラ５０は、（第１時間Ｔ１における出力電圧）＜（第２時間Ｔ２における出力電圧）とならないとき、即ち、（第１時間Ｔ１における電圧）≧（第２時間Ｔ２における電圧）となったときには、出力電圧の変化の態様が増加傾向ではないため、電源がＡＣアダプタ９Ａを介して接続されたＡＣ電源９Ｃではない、即ち、電池９Ｂであると判別する。こうして、コントローラ５０は、メカシャッタ２３等の稼動部材に電力を供給している間のバッテリ装着部９１からの出力電圧の変化の態様に基づいて、バッテリ装着部９１に接続されたものがＡＣアダプタ９Ａか電池９Ｂか、即ち、電源がＡＣ電源９Ｃか電池９Ｂかを判別する。
【００３６】
なお、本実施形態では、第１時間Ｔ１の電圧と第２時間Ｔ２の電圧とを比較して、電源を判別するようにしたが、これに限られるものではない。例えば、第１時間Ｔ１及び第２時間Ｔ２は、起動動作中のいずれかのタイミングであれば、いつでもよく、メカシャッタ２３等への電力供給の開始及び停止のときに限られない。また、比較する電圧は、第１時間Ｔ１と第２時間Ｔ２における１点ずつのデータである必要はない。例えば、起動動作中において、所定の第１期間にサンプリングされる電圧の平均値と、第１期間よりも後の第２期間にサンプリングされる電圧の平均値とを比較してもよい。平均値を取ることで、ノイズ等の誤差の影響を低減することができる。
【００３７】
こうして、コントローラ５０は、バッテリ装着部９１に接続された電源がＡＣアダプタ９Ａを介したＡＣ電源９Ｃか、電池９Ｂかを判別する。その後、コントローラ５０は、各種の動作を行うが、電源に応じて処理内容を変更する必要がある動作については、その処理内容を電源に応じて変更して実行する。
【００３８】
例えば、図４に示すように、コントローラ５０は、接続された電源がＡＣアダプタ９Ａを介したＡＣ電源９Ｃではない、即ち、接続された電源が電池９Ｂであると判別したときには、ストロボ９２の充電電流を電池９Ｂに応じた値に設定する（Ｓ４）。一方、コントローラ５０は、接続された電源がＡＣアダプタ９Ａを介したＡＣ電源９Ｃであると判別したときには、ストロボ９２の充電電流をＡＣ電源９Ｃに応じた値、即ち、ＡＣアダプタ９Ａの定格に応じた値に設定する（Ｓ５）。つまり、フラッシュを伴った撮影の準備時間を短縮する観点から、ストロボ９２の充電時間は短いことが好ましい。そのため、ストロボ９２の充電電流は大きいことが望まれる。しかしながら、ＡＣアダプタ９Ａを介して接続された電源の場合には、充電電流を大きくし過ぎると、定格オーバーとなる虞がある。そこで、本実施形態では、電源が電池９Ｂであるときには、ストロボ９２の充電を早期に完了させるべく、ストロボ９２の充電電流を電池９Ｂに対応した比較的大きな値に設定する。一方、電源がＡＣアダプタ９Ａを介して接続されたＡＣ電源９Ｃであるときには、ＡＣアダプタ９Ａの定格オーバーを防止するために、ストロボ９２の充電電流をＡＣアダプタ９Ａの定格に応じた値に設定している。尚、ＡＣアダプタ９Ａの定格が比較的大きい容量であれば、ストロボ９２を早く充電できるように、ストロボ９２の充電電流を定格の範囲内で大きな値に設定することが好ましい。このように、コントローラ５０は、電源がＡＣアダプタ９Ａを介して接続された電源であることを判別して、ＡＣアダプタ９Ａの定格を考慮した制御を行っている。
【００３９】
そして、コントローラ５０は、前記ステップＳ４又はステップＳ５の操作終了後、デジタルカメラ１０の通常動作に移行する(Ｓ６)。デジタルカメラ１０の通常動作は、特に限定されない。例えば、デジタルカメラ１０を撮影できる状態にする撮影モード、又は、撮影した画像を再生する再生モードなどが挙げられる。
【００４０】
尚、図４では、電源に応じて処理内容を変更する動作として、ストロボ９２の充電電流の制御について説明しているが、これに限られるものではない。例えば、電源に応じて処理内容を変更する動作としては、電池残量の表示等がある。すなわち、バッテリ装着部９１に接続された電源が電池９Ｂであると判別したときには、コントローラ５０は、液晶モニタ７０に電池残量を表示する。一方、バッテリ装着部９１に接続された電源がＡＣ電源９Ｃであると判別したときには、コントローラ５０は、液晶モニタ７０に電池残量を非表示にするか又は、ＡＣアダプタ９Ａが接続されている旨を表示する。
【００４１】
また、電源に応じて処理内容を変更する動作としては、デモモードを実行する制御がある。すなわち、デジタルカメラ１０は、店頭で見本として展示される場合がある。かかる場合には、デジタルカメラ１０は、液晶モニタ７０でデモが行われるデモモードに設定されることが好ましい。そして、デジタルカメラ１０は、このように店頭で展示される場合には、ＡＣアダプタ９Ａが接続される。そこで、デジタルカメラ１０は、ＡＣアダプタ９Ａが接続されていることを判別したときには、デモモードに自動的に設定する一方、電池９Ｂが接続されていることを判別したときには、デモモードを自動的に解除する。こうすることで、デジタルカメラ１０が店頭に展示されている場合には、自動的にデモモードに設定することができる。尚、デジタルカメラ１０はＡＣアダプタ９Ａが接続されていても、店頭に展示されていない場合（即ち、ユーザが使用している場合）もあり得るので、ＡＣアダプタ９Ａか電池９Ｂかによるデモモードの自動設定は、ユーザが設定可能であってもよい。
【００４２】
（３．まとめ）
デジタルカメラ１０は、ＡＣアダプタ９Ａ又は電池９Ｂを接続可能なバッテリ装着部９１と、メカシャッタ２３及び絞り２４と、コントローラ５０とを備え、コントローラ５０は、バッテリ装着部９１に接続されたＡＣアダプタ９Ａ又は電池９Ｂからの電力をメカシャッタ２３及び絞り２４に供給し（電流を流す）、そのときに、バッテリ装着部９１に接続されたＡＣアダプタ９Ａ又は電池９Ｂから出力される電圧を監視し、監視した電圧の変化の態様に基づいて、バッテリ装着部９１に接続されているのがＡＣアダプタ９Ａか電池９Ｂかを判別する。
【００４３】
このように、バッテリ装着部９１を介して出力される電圧の変化の態様に基づいて、バッテリ装着部９１に接続されている電源を判別することによって、その判別精度を向上させることができる。つまり、電池９Ｂの電圧は、使用環境や電池の状態によってばらつきが生じる。ここで、特許文献１のように、電源の出力電圧の時間的な変化量の実測値と、予め記憶しておいた閾値とを比較して電源を判別する構成の場合、実測値はばらつく一方、閾値は一定であるため、判別精度が低下してしまう。それに対して、出力電圧が負荷の接続により一旦低下した後、徐々に増加していくという、ＡＣアダプタ９Ａの出力電圧の変化の態様、および、出力電圧が負荷の接続により一旦低下した後、徐々に減少するか又はほとんど変化しないという、電池９Ｂの出力電圧の変化の態様は、使用環境や電源の状態によって変わるものではない。そのため、使用環境や電源の状態により出力電圧がばらつくような状況であっても、出力電圧の変化量ではなく、出力電圧の変化の態様に基づいて電源を判別することによって、その判別精度を向上させることができる。
【００４４】
さらに、本実施形態では、ＡＣアダプタ９Ａの出力電圧の変化の態様に基づいて電源を判別することによって、その判別精度をさらに向上させることができる。つまり、ＡＣアダプタ９Ａの出力電圧の変化の態様は、必ず、電圧を所定電圧に戻すような増加傾向となる。一方、電池９Ｂの出力電圧の変化の態様は、減少傾向となるものの、減少の程度は使用環境や電池９Ｂの残量等によって異なり、ほとんど変化しない場合もある。さらに、電池９Ｂの出力電圧は、前述の如く、使用環境等によってばらつくことがある。つまり、電池９Ｂに比べて、ＡＣアダプタ９Ａの方が、出力電圧の変化の態様が安定している。すなわち、ＡＣアダプタ９Ａの方が、その特有の出力電圧の変化の態様が安定して現れる。さらに、ＡＣアダプタ９Ａの方が、出力電圧自体も安定している。そのため、電池９Ｂの出力電圧の変化の態様を基準にして電源が電池９Ｂであるのか否かを判別するのに比べて、ＡＣアダプタ９Ａの出力電圧の変化の態様を基準にして電源がＡＣ電源９Ｃであるか否かを判別する方が、電源を高い精度で判別することができる。
【００４５】
《その他の実施形態》
本発明は、前記実施形態に限定されず、以下のような構成としてもよい。
【００４６】
前記実施形態では、電子機器の一例として、デジタルカメラについて説明したが、これに限られるものではない。前記の構成は、例えば、携帯電話やポータブルオーディオ等の、デジタルカメラ以外の電子機器にも採用することができる。
【００４７】
前記実施形態では、メカシャッタ２３や絞り２４の初期化動作中のバッテリ装着部９１からの出力電圧の変化の態様に基づいて、電源の判別を行っているが、これに限られるものではない。すなわち、ＣＣＤイメージセンサ２１、液晶モニタ７０及びストロボ９２等の稼動部材に所定の動作を行わせるときの、バッテリ装着部９１からの出力電圧の変化の態様を用いてもよい。つまり、電源の判別を行うときに電源からの電力を供給する稼動部材は、どのようなものであってもかまわない。
【００４８】
また、前記実施形態では、電源ＯＮ時の初期化動作におけるバッテリ装着部９１からの出力電圧の変化の態様に基づいて電源を判別するようにしているが、これに限られるものではない。他の動作タイミングにおけるバッテリ装着部９１からの出力電圧の変化の態様に基づいて電源を判別してもよい。例えば、他の動作タイミングとしては、交換レンズが着脱可能なカメラ本体の場合、交換レンズの装着時に行われる初期化動作時などであってもよい。
【００４９】
また、電源の判別は、１回に限られるものではない。前記の初期化動作中に電源の判別を複数回実施するようにしてもよい。こうすることで、判別の信頼性を向上させることができる。尚、初期化動作中に限られず、その他のタイミングも含めて、電源の判別を複数回実施するようにしてもよい。
【００５０】
さらに、前記実施形態では、第１時間Ｔ１における出力電圧と第２時間Ｔ２における出力電圧との大小関係によって、出力電圧の変化の態様が増加傾向であるか否かを判別し、それによって電源がＡＣ電源９Ｃであるか否かを判別しているが、これに限られるものではない。検出される出力電圧には誤差も含まれるため、誤差を考慮して、出力電圧の変化の態様が増加傾向であるか否かを判別するようにしてもよい。つまり、（第２時間Ｔ２における出力電圧）−（第１時間Ｔ１における出力電圧）＞αとなったときは、出力電圧の変化の態様が増加傾向であるため、電源がＡＣアダプタ９Ａを介して接続されたＡＣ電源９Ｃであると判別する一方、この条件式を満たさないときには、出力電圧の変化の態様が増加傾向でないため、電池９Ｂであると判別するようにしてもよい。ここで、判定値αは、誤差を考慮した値であって、具体的には、電源がＡＣアダプタ９Ａを介したＡＣ電源９Ｃであれば、検出電圧に誤差を含んでいたとしても必ずこの値以上は電圧が上昇するという値である。この判定値αは、（第２時間Ｔ２における出力電圧）−（第１時間Ｔ１における出力電圧）の値を、ＡＣアダプタ９Ａを介したＡＣ電源９Ｃと、電池９Ｂについて事前に実測し、統計的に求めることができる。この判定値αは、フラッシュメモリ４１に記憶しておく。
【００５１】
また、前記実施形態では、ＡＣアダプタ９Ａの出力電圧の変化の態様を基準にして電源がＡＣ電源９Ｃであるか否かを判別することによって、電源を判別しているが、これに限られるものではない。すなわち、電池９Ｂの出力電圧の変化の態様を基準にして電源が電池９Ｂであるのか否かを判別することによって、電源を判別する構成であってもよい。
【００５２】
また、前記実施形態では、非電池電源として、ＡＣ電源９Ｃが用いられているが、これに限られるものではない。
【００５３】
また、前記実施形態では、電池電源として、一次電池が用いられている。しかし、電池電源は、一次電池だけでなく、二次電池も利用可能であり、様々な電池を用いることが可能である。
【００５４】
また、前記実施形態では、コントローラ５０が、初期化動作時において、電源からの電圧をサンプリングするようにしている。しかし、これに限られず、初期化動作時以外においても、電源からの電圧をサンプリングするようにしてもよい。このようにすれば、サンプリングした電圧で、初期化動作の開始を判断できる。これは、初期化動作の負荷によって、電圧降下が発生するためである。したがって、簡単な構成で、初期化動作開始を判断できるようになる。同様に初期化動作終了も、電圧の変化で判断できる。
【００５５】
また、前記実施形態では、メカシャッタ２３と絞り２４を両方制御した場合の出力電圧を監視するようにしている。しかし、これに限られず、メカシャッタ２３及び絞り２４の何れか一方を制御した場合の出力電圧を監視するようにしてもよい。なお、図３では、初期化動作時における出力電圧を、直線で表現している。これは説明を理解しやすくするために記載した模式図であって、実際はこれと異なる。例えば、初期化動作時における電源からの出力電圧は、ＡＣアダプタ９Ａの場合、二次関数的に増加する（曲線状に変化する出力電圧となる）。これは、ＡＣアダプタ９Ａの特性によるものである。また、初期化動作時における電源からの出力電圧は、電池９Ｂの場合、厳密ではないが、一次関数的に減少する。
【００５６】
すなわち、本発明は、前記実施形態に限られず、種々の形態で実施可能である。以上の実施形態は、本質的に好ましい例示であって、本発明、その適用物、あるいはその用途の範囲を制限することを意図するものではない。
【産業上の利用可能性】
【００５７】
以上説明したように、本発明は、例えば、デジタルカメラ、携帯電話及びポータブルオーディオ等の電子機器に適用可能である。
【符号の説明】
【００５８】
１０  デジタルカメラ（電子機器）
２０  光学系
２１  ＣＣＤイメージセンサ
２２  ＡＦＥ
２３  メカシャッタ（稼動部材、第１の稼動部材）
２４  絞り（稼動部材、第１の稼動部材）
３０  画像処理部
４０  バッファメモリ
４１  フラッシュメモリ
５０  コントローラ（供給手段、電圧監視手段、判別手段、第１供給手段、第２供給手段）
６０  カードスロット
６１  メモリカード
７０  液晶モニタ
８０  操作部
９Ａ  ＡＣアダプタ
９Ｂ  電池（電池電源）
９Ｃ  ＡＣ電源（非電池電源）
９０  ＡＤコンバータ
９１  バッテリ装着部（接続部）
９２  ストロボ（第２の稼動部材）
【図１】
2010094009.tif 000003
【図２】
2010094009.tif 000004
【図３】
2010094009.tif 000005
【図４】
2010094009.tif 000006